(57)【要約】【課題】ユーザが所望する動作を行うことができる。【解決手段】画像形成装置１は、原稿の画像を読み取る画像読取部、及び前記画像読取部に前記原稿を搬送する原稿搬送部を含んで構成される画像形成装置１であって、前記画像読取装置を操作するユーザを特定するユーザ特定部７５と、前記原稿の読み取りが前記原稿搬送部を経由したか否かを判定する読取経路判定部としてのスキャナ制御部７１と、イベントが発生した場合に、ユーザ特定部７５が特定したユーザ及び読取経路判定部としてのスキャナ制御部７１が判定した原稿搬送部を経由したか否かに基づいて、イベント発生後の動作を決定する動作決定部７６と、前記画像読取部で読み取った原稿の画像を印刷する印刷部としてのプリンタ部４０とを備えることを特徴とする。【選択図】図３
2014078883.tif 000002
【特許請求の範囲】
【請求項１】
原稿の画像を読み取る画像読取部、及び前記画像読取部に前記原稿を搬送する原稿搬送部を含んで構成される画像読取装置であって、
前記画像読取装置を操作するユーザを特定するユーザ特定部と、
前記原稿の読み取りが前記原稿搬送部を経由したか否かを判定する読取経路判定部と、
イベントが発生した場合に、前記ユーザ特定部が特定したユーザ及び前記読取経路判定部が判定した原稿搬送部を経由したか否かに基づいて、イベント発生後の動作を決定する動作決定部と、
を備えることを特徴とする画像読取装置。
【請求項２】
前記動作決定部が決定した前記動作の内容や状況を表示部に表示させる表示制御部をさらに備える、
ことを特徴とする請求項１に記載された画像読取装置。
【請求項３】
前記イベントは、前記画像読取部による前記画像の読み取りの完了である、
ことを特徴とする請求項１又は請求項２に記載された画像読取装置。
【請求項４】
前記イベントは、前記画像読取部による前記画像の読み取り中におけるエラーの発生である、
ことを特徴とする請求項１又は請求項２に記載された画像読取装置。
【請求項５】
ユーザを識別する識別情報、原稿搬送部を経由したか否かを示す情報、イベント発生後の動作に関する情報を対応づけた動作条件情報が記憶される記憶部をさらに備え、
前記動作決定部は、イベントが発生した場合に、前記ユーザ特定部が特定したユーザ及び前記読取経路判定部が判定した原稿搬送部を経由したか否かに基づいて、前記動作条件情報を参照し、対応するイベント発生後の動作を決定する、
ことを特徴とする請求項１ないし請求項４の何れか１項に記載された画像読取装置。
【請求項６】
外部装置とデータ通信を行う通信部と、
前記外部装置から前記動作条件情報を設定するための設定情報を受信し、受信した前記設定情報で前記動作条件情報を更新する動作条件管理部とをさらに備える、
ことを特徴とする請求項５に記載された画像読取装置。
【請求項７】
前記動作条件管理部は、前記動作条件情報の設定が可能な動作と設定が不可能な動作とを識別できるように前記外部装置の表示部に表示する、
ことを特徴とする請求項６に記載された画像読取装置。
【請求項８】
前記動作条件管理部は、前記画像読取装置の動作を矢印で表し、前記動作条件情報の設定が不可能な動作に比べて設定が可能な動作の矢印を太く表示する、
ことを特徴とする請求項７に記載された画像読取装置。
【請求項９】
原稿の画像を読み取る画像読取部、及び前記画像読取部に前記原稿を搬送する原稿搬送部を含んで構成される画像形成装置であって、
前記画像形成装置を操作するユーザを特定するユーザ特定部と、
前記原稿の読み取りが前記原稿搬送部を経由したか否かを判定する読取経路判定部と、
イベントが発生した場合に、前記ユーザ特定部が特定したユーザ及び前記読取経路判定部が判定した原稿搬送部を経由したか否かに基づいて、イベント発生後の動作を決定する動作決定部と、
前記画像読取部で読み取った原稿の画像を印刷する印刷部と、
を備えることを特徴とする画像形成装置。
【発明の詳細な説明】
【技術分野】
【０００１】
本発明は、原稿の画像を読み取る画像読取装置、及び画像形成装置に関する。
【背景技術】
【０００２】
従来、画像形成装置の１つである複合装置(ＭＦＰ: Multi Function Printer)においては、読取部、印刷部、通信部などを備え、読み取った原稿の画像から画像データを作成するスキャン機能、ＰＣ等の外部の電子機器から受信した画像データを印刷するプリント機能、読み取った原稿の画像から画像データを作成し、作成した画像データを印刷するコピー機能、読み取った原稿の画像をファックスする機能を提供するものが広く知られている。
【０００３】
そして、複合装置は、これらの機能の提供を受けようとする場合に、原稿の態様に応じて複数の読取パターンを提供している。例えば、従来の複合装置は、原稿を載置するためのガラス面を構成とするフラットベッド(ＦＢ：Flatbed)や、自動原稿送り装置(ＡＤＦ：Auto Document Feeder)を備え、１枚１枚が分離できる原稿であればＡＤＦを用いて原稿の画像を読み取り、接着剤やステープラーで綴じてある本などのように分離できない原稿であればＦＢを用いて原稿の画像を読み取ることができる。これにより、ユーザは、読み取る原稿の態様に応じてＡＤＦとＦＢとを使い分けることができる（特許文献１参照）。
【先行技術文献】
【特許文献】
【０００４】
【特許文献１】特開２００９−０４４５２１号公報
【発明の概要】
【発明が解決しようとする課題】
【０００５】
しかしながら、前記する従来の複合装置は、スキャン、コピー、ファックスなどの操作開始からユーザが所望する出力がなされるまでの間、画一的な表示を行っていたため、ユーザによっては使い勝手が良くないという問題があった。
【０００６】
例えば、従来の複合装置は、フラットベッドのガラス面上にユーザが載置した原稿の読み取りにおいて、１枚の原稿を読み取った後に継続して読み取る原稿の有無をユーザに問い合わせる表示を行い、ユーザから継続して読み取る原稿が無いことを指示された場合に読み取り完了となる。一方、従来の複合装置は、自動原稿送り装置(ＡＤＦ)によってフラットベッドのガラス面上に自動的に搬送された原稿の読み取りにおいて、１組の原稿を読み取った後に継続して読み取る原稿の有無をユーザに問い合わせることなく読み取り完了となる。
【０００７】
そのため、これら以外の操作を希望するユーザにとっては、継続して読み取る原稿の有無の不要な問い合わせを受け、また、継続して読み取る原稿の有無の必要な問い合わせを受けないので、ユーザによっては使い勝手が良くないという問題があった。
【０００８】
本発明は、前記問題に鑑みてなされたものであり、ユーザが所望する動作を行うことができる、画像読取装置、及び画像形成装置を提供することを課題とする。
【課題を解決するための手段】
【０００９】
前記課題を解決するため、本発明に係る画像読取装置は、原稿の画像を読み取る画像読取部（１３）、及び前記画像読取部に前記原稿を搬送する原稿搬送部（１２）を含んで構成される画像読取装置であって、前記画像読取装置を操作するユーザを特定するユーザ特定部（７５）と、前記原稿の読み取りが前記原稿搬送部を経由したか否かを判定する読取経路判定部（７１）と、イベントが発生した場合に、前記ユーザ特定部が特定したユーザ及び前記読取経路判定部が判定した原稿搬送部を経由したか否かに基づいて、イベント発生後の動作を決定する動作決定部（７６）と、を備えることを特徴とする。但し、括弧内の符号は例示である。
【００１０】
このとき、前記イベントは、前記画像読取部による前記画像の読み取りの完了であることが好ましい。また、前記イベントは、前記画像読取部による前記画像の読み取り中におけるエラーの発生であることが好ましい。
【００１１】
また、本発明に係る画像形成装置は、原稿の画像を読み取る画像読取部（１３）、及び前記画像読取部に前記原稿を搬送する原稿搬送部（１２）を含んで構成される画像形成装置（１）であって、前記画像形成装置を操作するユーザを特定するユーザ特定部（７５）と、前記原稿の読み取りが前記原稿搬送部を経由したか否かを判定する読取経路判定部（７１）と、イベントが発生した場合に、前記ユーザ特定部が特定したユーザ及び前記読取経路判定部が判定した原稿搬送部を経由したか否かに基づいて、イベント発生後の動作を決定する動作決定部（７６）と、前記画像読取部で読み取った原稿の画像を印刷する印刷部（４０）と、を備えることを特徴とする。但し、括弧内の符号は例示である。
【発明の効果】
【００１２】
本発明によれば、ユーザが所望する動作を画像形成装置に行わせることができる。
【図面の簡単な説明】
【００１３】
【図１】第１実施形態に係る複合装置の外観斜視図である。
【図２】第１実施形態に係る複合装置を構成するスキャナ部の概略縦断面図である。
【図３】第１実施形態に係る複合装置の機能構成図である。
【図４】（ａ）は第１実施形態に係る複合装置が記憶する既登録ユーザテーブルのデータ構成図であり、（ｂ）は第１実施形態に係る複合装置が記憶するログインユーザ情報のデータ構成図である。
【図５】第１実施形態に係る複合装置が記憶する動作条件テーブルのデータ構成図である。
【図６Ａ】第１実施形態に係る複合装置のファックス送信動作を示すフローチャート（１）である。
【図６Ｂ】第１実施形態に係る複合装置のファックス送信動作を示すフローチャート（２）である。
【図６Ｃ】第１実施形態に係る複合装置のファックス送信動作を示すフローチャート（３）である。
【図６Ｄ】第１実施形態に係る複合装置のファックス送信動作を示すフローチャート（４）である。
【図６Ｅ】第１実施形態に係る複合装置のファックス送信動作を示すフローチャート（５）である。
【図７】第１実施形態に係る複合装置が表示するログイン画面を説明するための図である。
【図８】第１実施形態に係る複合装置が表示するメニュー画面を説明するための図である。
【図９】第１実施形態に係る複合装置が表示するログインエラー画面を説明するための図である。
【図１０】第１実施形態に係る複合装置が表示するファックス待機画面を説明するための図である。
【図１１】第１実施形態に係る複合装置が表示する原稿読み取り中画面を説明するための図である。
【図１２】第１実施形態に係る複合装置が表示する画面Ａ（継続読み取りを行うか否かを選択できるようにした画面）を説明するための図である。
【図１３】第１実施形態に係る複合装置が表示するファックス送信画面を説明するための図である。
【図１４】第１実施形態に係る複合装置が表示する画面Ｂ（送信宛先の再確認を促し、間違っていれば送信を取り消すことができるようにした画面）を説明するための図である。
【図１５】第１実施形態に係る複合装置が表示する宛先取り消し画面を説明するための図である。
【図１６】第１実施形態に係る複合装置が表示する宛先リスト更新後の画面Ｂを説明するための図である。
【図１７】第１実施形態に係る複合装置が表示する画面Ｃ（読み取り完了後はすぐにファックス待機画面に戻し、前回のファックス送信とは原稿が異なる次のファックス送信を行えるようにした画面）を説明するための図である。
【図１８】第１実施形態に係る複合装置が表示するファックス送信状況確認画面を説明するための図である。
【図１９】第２実施形態に係る複合装置の機能構成図である。
【図２０】第２実施形態に係る複合装置のメインフローの動作条件の設定動作を示すフローチャートである。
【図２１】第２実施形態に係る複合装置に接続されるＰＣに表示するフロー設定画面を説明するための図である。
【図２２】第２実施形態に係る複合装置に接続されるＰＣに表示する条件設定画面を説明するための図である。
【図２３】第２実施形態に係る複合装置のエラーフローの動作条件の設定動作を示すフローチャートである。
【図２４】第２実施形態に係る複合装置に接続されるＰＣに表示するフロー設定画面を説明するための図である。
【図２５】第２実施形態に係る複合装置に接続されるＰＣに表示する条件設定画面を説明するための図である。
【図２６】第２実施形態に係る複合装置が表示する画面Ｄ（読み取った画像を確認することができるようにした画面）を説明するための図である。
【図２７】第２実施形態に係る複合装置が表示する画像確認画面を説明するための図である。
【図２８】第２実施形態に係る複合装置が再表示する画像確認画面を説明するための図である。
【図２９】第２実施形態に係る複合装置が表示する画面Ｅ（原稿ジャムが発生してしまった原稿は載置読取で読み取り、次の原稿からは引き続き流し読取で読み取るように促す画面）を説明するための図である。
【図３０】第２実施形態に係る複合装置に接続されるＰＣに表示する条件設定画面を説明するための図である。
【図３１】第２実施形態に係る複合装置が表示する画面Ｆ（ソートコピーを指定した場合に、原稿の向きと集約の設定を読み取り完了ごとに変更できるようにする画面）を説明するための図である。
【図３２】第２実施形態に係る複合装置が表示する原稿の向き変更画面を説明するための図である。
【図３３】第２実施形態に係る複合装置が表示する集約変更画面を説明するための図である。
【図３４】第２実施形態に係る複合装置が表示する画面Ｆを用いて読み取りを行った読み取り原稿と出力結果を示す図である。
【図３５】第２実施形態に係る複合装置が記憶する動作条件テーブルのデータ構成図である。
【発明を実施するための形態】
【００１４】
以下、図面を参照して、本発明の実施の形態につき詳細に説明する。
なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１５】
［第１実施形態］
≪第１実施形態に係る複合装置の構成≫
以下、図１ないし図３を参照して、第１実施形態に係る複合装置の構成について説明する。図１は、第１実施形態に係る複合装置の外観斜視図である。図２は、第１実施形態に係るスキャナ部の概略縦断面図である。図３は、第１実施形態に係る複合装置の機能構成図である。
【００１６】
図１に示すように、画像形成装置としての複合装置１は、スキャナ部１０、入力部や表示部としての操作パネル部２０、通信部３０、印刷部としてのプリンタ部４０、及び制御部５０を備える。複合装置１は、これらの構成要素を協働させることで、コピー、ファックス、スキャンなどの機能を実現する。以下では、複合装置１の各構成要素について説明する。
【００１７】
＜スキャナ部＞
図２を参照して、第１実施形態に係るスキャナ部の構成について説明する。
画像読取部としてのスキャナ部１０は、原稿の画像を読み取り、読み取った画像を画像データ(電子データ)に変換する。スキャナ部１０は、主として、原稿台１１、原稿搬送部としての自動原稿送り装置１２(以下では「ＡＤＦ１２」と呼ぶ場合がある)、及び画像読取部としての読み取りデバイス１３を備えて構成する。ＡＤＦ１２は、側端部を持ち上げることにより、背面の回転軸を中心にして図１のα方向に開閉自在である。スキャナ部１０は、例えば、複合装置１がコピー、ファックス、スキャンを実行する場合に稼働する。
【００１８】
原稿台１１は、ガラス板等の光透過性の板材から成り、分離できない原稿(例えば、冊子状の原稿)を読み取る場合に原稿を上部に載置する原稿載置部１１ａと、１枚１枚が分離できる原稿を読み取る場合に原稿が上部を通過する原稿通過部１１ｂとを備えて構成される。具体的には、ＡＤＦ１２を持ち上げられた状態で、画像が形成された面が原稿台１１に接触するように原稿が原稿載置部１１ａの上部に載置される。一方、ＡＤＦ１２を持ち上げない状態で、ＡＤＦ１２に取り込まれた原稿が、画像が形成された面が原稿台１１に接触するように原稿通過部１１ｂの上部を通過する。
【００１９】
原稿搬送部としてのＡＤＦ１２は、原稿が収納される原稿トレイ１２ａと、原稿トレイ１２ａに収納される原稿をＡＤＦ１２内部に取り込むピックアップローラ１２ｂと、ピックアップローラ１２ｂにより取り込まれた原稿を分離パッド１２ｃに押し付けながら回転することで原稿を１枚ずつ分離搬送する分離ローラ１２ｄと、分離ローラ１２ｄにより分離された原稿をプレッシャローラ１２ｅに押し付けながら回転することで原稿を画像読み取り位置に搬送する搬送ローラ１２ｆと、読み取った後の原稿をプレッシャローラ１２ｇに押し付けながら回転することで原稿をＡＤＦ１２外部に排出する排出ローラ１２ｈと、排出ローラ１２ｈにより排出された原稿を格納するスタッカ１２ｉとで構成される。また、スタッカ１２ｉの下部には、原稿載置部１１ａに載置された原稿を押圧する原稿押圧部１２ｊが形成される。原稿押圧部１２ｊは、例えば、光反射性の白色シートとして形成される。
【００２０】
画像読取部としての読み取りデバイス１３は、原稿台１１の下方に配設され、複合装置１の幅方向を長手方向とする直方体形状をなす。読み取りデバイス１３の上部には、読み取りセンサ素子が一列に並んで配設されている。読み取りデバイス１３は、移動機構１４により、水平方向(β方向)に移動自在である。
【００２１】
具体的には、読み取りデバイス１３は、原稿載置部１１ａの上部に原稿が載置された状態で、原稿載置部１１ａの下部を水平方向に移動することで画像を走査する。以下では、読み取りデバイス１３によるこの読み取りパターンを「載置読取」と呼ぶことにする。一方、読み取りデバイス１３は、原稿通過部１１ｂの下部で停止した状態で、ＡＤＦ１２により搬送され、上部を通過する原稿の画像を走査する。以下では、読み取りデバイス１３によるこの読み取りパターンを「流し読取」と呼ぶことにする。
【００２２】
＜操作パネル部＞
図１に戻り、操作パネル部２０の構成について説明する。
入力部や表示部としての操作パネル部２０は、ＬＣＤ(Liquid Crystal Display)ディスプレイ・タッチパネル２１(以下、省略して「ＬＣＤパネル２１」と呼ぶ)、ボタン部２２を備えて構成される。
【００２３】
ＬＣＤパネル２１は、タッチセンサを内蔵する液晶パネルとして構成され、種々の画面を表示し、また、ユーザが画面にタッチすることによる指示等を入力情報として受け付ける。ＬＣＤパネル２１に表示する画面については後記する。
ボタン部２２は、複数のボタンで構成され、ユーザがボタンを押下することによる指示等を入力情報として受け付ける。
【００２４】
なお、操作パネル部２０は、内部にＣＰＵ(Central Processing Unit)やＲＡＭ(Random Access Memory)を備え、ＲＡＭ内にはＬＣＤパネル２１を制御するプログラムや押下されたボタン部２２に応じた信号を出力するプログラムが格納され、それらのプログラムをＣＰＵが実行することでＣＰＵが操作パネル制御部として機能するように構成されてもよい。本実施形態では、複合装置１全体を制御する制御部５０に、操作パネル制御部が含まれた構成として説明する。
【００２５】
＜通信部＞
通信部３０は、電話回線用のコネクタやＬＡＮ(Local Area Network)用のコネクタとして構成され、電話回線やＬＡＮ回線を介して接続される外部端末との間でデータを送受信する。ここで、外部端末とは、例えば、ＬＡＮ回線に接続されたコンピュータ(ＰＣ(Personal Computer))や、電話回線に接続されたファクシミリ等である。
【００２６】
＜プリンタ部＞
印刷部としてのプリンタ部４０は、露光装置、感光ドラム、帯電ローラ、トナーカートリッジ、供給ローラ、現像ローラ、転写ローラ、転写ベルトなどで構成され、画像データを記録媒体に印刷する。
【００２７】
＜制御部＞
続いて、図３を参照して、制御部５０の構成について説明する。ここでは、概要のみを記載し、詳細は後記する「第１実施形態に係る複合装置の動作」で説明する。なお、複合装置１の内、スキャン機能に関する構成（スキャナ部１０、スキャナ制御部７１、ユーザ特定部７５、動作決定部７６など）をまとめた装置を画像読取装置と呼ぶ。
制御部５０は、不揮発性メモリ６０、ＣＰＵ(Central Processing Unit)７０などを有する制御基板として構成され、複合装置１全体の制御を行う。
【００２８】
（不揮発性メモリ）
記憶部や不揮発性情報格納部としての不揮発性メモリ６０は、複合装置１の制御で必要となるデータやテーブルなどを記憶する。不揮発性メモリ６０は、例えば、既登録ユーザテーブル６１、ログインユーザ情報６２、動作条件テーブル６３、画像データ６４、表示画面データ６５、宛先リスト６６などを記憶する。
【００２９】
図４を参照して、既登録ユーザテーブル６１、及びログインユーザ情報６２のデータ構成について説明する。図４（ａ）に示すように、既登録ユーザテーブル６１は、複合装置１の操作を許可されたユーザのＩＤ(Identification)を格納する領域である。図４（ｂ）に示すように、ログインユーザ情報６２は、複合装置１にログインしているユーザのＩＤを格納する領域である。
【００３０】
図５を参照して、動作条件テーブル６３のデータ構成について説明する。
動作条件テーブル６３は、機能６３１、動作決定開始トリガ６３２、条件種別６３３、ユーザＩＤ６３４、読取パターン６３５、表示画面６３６、動作トリガ６３７、動作６３８で構成される。
【００３１】
機能６３１の欄には、複合装置１が実行可能な機能（“ファックス”、“コピー”、“スキャン”など）を示す情報が格納される。動作決定開始トリガ６３２の欄には、後記する動作決定部７６が表示または動作を選択して決定する処理を行う始点（“読取完了”、“送信完了”、“原稿ジャム発生”など）を示す情報が格納される。以下では、動作決定開始トリガ６３２を「イベント」と呼ぶ場合がある。
【００３２】
条件種別６３３の欄には、ＬＣＤパネル２１に表示する画面や複合装置１が行う動作などをグループ化した処理（“Ｘ”、“Ａ”、“Ｂ”、“Ｃ”・・・など）を示す情報が格納される。ユーザＩＤ６３４の欄には、条件種別６３３に格納される処理の対象となるユーザのＩＤ（“1111”、“2222”、“3333”・・・など）を示す情報が格納される。読取パターン６３５の欄には、条件種別６３３に格納される処理の対象となる読取パターン（“載置読取”、“流し読取”）を示す情報が格納される。
【００３３】
表示画面６３６の欄には、条件種別６３３に格納される処理が選択された場合に、次にＬＣＤパネル２１に表示する画面（“画面Ａ”、“画面Ｂ”、“画面Ｃ”・・・など）を示す情報が格納される。動作トリガ６３７の欄には、条件種別６３３に格納される処理が選択された場合に、次に複合装置１が行う動作６３８の始点を示す情報が格納される。動作トリガ６３７は、例えば、表示画面６３６に配置されるボタンがタッチされたこと（“継続読み取りボタンをタッチ”、“読み取り完了ボタンをタッチ”・・・など）を示す情報として構成される。動作６３８の欄には、動作トリガ６３７に示される始点から開始される１つ又は複数の動作（“継続読み取り開始”、“原稿読み取り中画面を表示”・・・など）を示す情報が格納される。
【００３４】
画像データ６４は、スキャナ部１０で読み取った画像データが格納される領域である。表示画面データ６５は、ＬＣＤパネル２１に表示する画像データのテンプレートとなるデータが格納される領域である。宛先リスト６６は、ファックス送信する場合に宛先として登録されるデータが格納される領域である。
【００３５】
（ＣＰＵ）
図３に戻り、ＣＰＵ７０について説明する。ＣＰＵ７０は、複合装置１の制御を行う機能を実現する。ＣＰＵ７０は、図示しないＲＡＭに格納されるプログラムを実行することにより、スキャナ制御部７１、操作パネル制御部７２、通信制御部７３、プリンタ制御部７４、ユーザ特定部７５、動作決定部７６などの機能を実現する。
【００３６】
なお、ＣＰＵ７０は、複数のＣＰＵが相互に通信を行うＣＰＵ群として構成されてもよい。その場合、図３に示すＣＰＵ７０で実現される機能の一部を他のＣＰＵで実現することが可能である。
【００３７】
スキャナ制御部７１は、スキャナ部１０を制御し、「載置読取」や「流し読取」による原稿の画像の読み取りを実現する。この際、スキャナ制御部７１は、「載置読取」と「流し読取」とのどちらで画像の読み取りを行ったのかを示す読取パターン情報を動作決定部７６に通知する。そのため、スキャナ制御部７１を「読取経路判定部」と呼ぶ場合がある。また、スキャナ制御部７１は、読み取った画像を画像データ(電子データ)に変換する。
【００３８】
入力制御部や表示制御部としての操作パネル制御部７２は、操作パネル部２０を制御し、操作パネル部２０を介したデータの入力や、データの出力を実行する。例えば、操作パネル制御部７２は、ユーザがＬＣＤパネル２１をタッチした位置に応じた信号を動作決定部７６などに出力し、動作決定部７６により決定された画面をＬＣＤパネル２１に表示する。
【００３９】
通信制御部７３は、通信部３０を制御し、外部端末(例えば、ファクシミリやＰＣ)との間でデータ通信を実行する。例えば、通信制御部７３は、動作決定部７６による指示で、外部端末としてのファクシミリに対してファックス送信を実行する。
プリンタ制御部７４は、プリンタ部４０を制御し、印刷媒体への画像の印刷を実行する。
【００４０】
ユーザ特定部７５は、ログインユーザ情報６２を参照し、ログインしているユーザが複合装置１を利用可能であるユーザであるか否かを特定する。また、ユーザ特定部７５は、ログインしているユーザが複合装置１を利用可能であるユーザである場合に、当該ユーザのＩＤをログインユーザ情報６２として格納する。
【００４１】
動作決定部７６は、ログインユーザ情報６２として記憶されるログインユーザＩＤ及びスキャナ制御部７１から通知された読取パターン情報をキーとして、動作条件テーブル６３を参照し、複合装置１が次に行う動作を決定する。
以上で、第１実施形態に係る複合装置１の構成についての説明を終了する。
【００４２】
≪第１実施形態に係る複合装置の動作≫
以下では、第１実施形態に係る複合装置１の動作について、ファックス送信する場合を例示して説明する。
【００４３】
＜ファックス送信の動作＞
図６Ａないし図６Ｅを参照して、複合装置１のファックス送信の動作について説明する。図６Ａないし図６Ｅは、第１実施形態に係る複合装置１のファックス送信動作を示すフローチャートである。
【００４４】
ユーザが複合装置１を起動した場合に、複合装置１の操作パネル制御部７２は、図７に示すログイン画面７１０をＬＣＤパネル２１に表示する（ステップＳ１０）。ログイン画面７１０は、画面上部に配設されるＩＤ入力フィールド７１１、画面左下に配設されるテンキー７１２、及び画面右下に配設されるログインボタン７１３で構成される。
【００４５】
続いて、ユーザがテンキー７１２を操作してＩＤ入力フィールド７１１に自己のＩＤを入力し、ログインボタン７１３を押下した場合、ユーザ特定部７５は、ＩＤ入力フィールド７１１に入力されたＩＤと不揮発性メモリ６０に記憶する既登録ユーザテーブル６１に登録されるＩＤとが一致するか否かを判定(照合)する（ステップＳ２０）。
【００４６】
ＩＤが一致する場合（ステップＳ２０“Ｙｅｓ”）に、ユーザ特定部７５は、ＩＤ入力フィールド７１１に入力されたユーザＩＤをログインユーザ情報６２として記憶する（ステップＳ３０）。続いて、操作パネル制御部７２は、図８に示すメニュー画面７２０をＬＣＤパネル２１に表示する（ステップＳ４０）。メニュー画面７２０は、コピーボタン７２１、ファックス送信ボタン７２２、スキャンボタン７２３、及びログアウトボタン７２４で構成される。
【００４７】
一方、ＩＤが一致しない場合（ステップＳ２０“Ｎｏ”）に、操作パネル制御部７２は、図９に示すログインエラー画面７３０をＬＣＤパネル２１に表示する（ステップＳ５０）。なお、ＩＤが一致しない場合（ステップＳ２０“Ｎｏ”）には、ユーザ特定部７５は、入力されたユーザＩＤをログインユーザ情報６２として記憶しない。そして、処理はステップＳ１０に戻る。
【００４８】
ステップＳ４０に続いて、操作パネル制御部７２は、ユーザによるメニュー画面７２０を構成するボタンのタッチを検出する（ステップＳ６０）。操作パネル制御部７２が、ファックス送信ボタン７２２のタッチを検出した場合に、処理はステップＳ７０に進む。一方、操作パネル制御部７２が、ログアウトボタン７２４のタッチを検出した場合に、処理はステップＳ１０に戻る。
【００４９】
ステップＳ６０でファックス送信ボタン７２２のタッチを検出した場合に、操作パネル制御部７２は、図１０に示すファックス待機画面７４０をＬＣＤパネル２１に表示する（ステップＳ７０）。ファックス待機画面７４０は、メニューに戻るボタン７４１、宛先追加ボタン７４２、宛先表示エリア７４３、読み取り設定ボタン７４４、及びＳｔａｒｔボタン７４５で構成される。
【００５０】
ステップＳ７０に続いて、操作パネル制御部７２は、ファックス待機画面７４０を構成するボタンのタッチを検出する（ステップＳ８０）。操作パネル制御部７２が、メニューに戻るボタン７４１のタッチを検出した場合に、処理はステップＳ４０に戻る。一方、宛先追加ボタン７４２を用いて宛先リスト６６から選択された宛先が宛先表示エリア７４３に表示された状態で、操作パネル制御部７２が、Ｓｔａｒｔボタン７４５のタッチを検出した場合に、処理はステップＳ９０に進む。
【００５１】
ステップＳ８０でＳｔａｒｔボタン７４５のタッチを検出した場合に、スキャナ制御部７１は、スキャナ部１０を制御して原稿の画像の読み取りを開始する（ステップＳ９０）。それに伴い、操作パネル制御部７２は、図１１に示す原稿読み取り中画面７５０をＬＣＤパネル２１に表示する。
【００５２】
ステップＳ９０に続いて、スキャナ制御部７１は、読み取りが完了したか否かの検出を行う（ステップＳ１００）。具体的には、スキャナ制御部７１は、載置読取の場合には、１ページの原稿の読み取りが完了したときに読み取りが完了したことを検出し、一方、流し読取の場合には、原稿トレイ１２ａ(図２参照)に収納される全ての原稿の読み取りが完了したときに読み取りが完了したことを検出する。
【００５３】
読み取りの完了を検出した場合（ステップＳ１００“Ｙｅｓ”）に、処理はＳ１１０に進む。一方、読み取りの完了を検出していない場合（ステップＳ１００“Ｎｏ”）に、再度読み取りが完了したか否かの検出を行う。
【００５４】
読み取りの完了を検出した場合（ステップＳ１００“Ｙｅｓ”）に、スキャナ制御部７１は、動作決定部７６に対して、読取完了及び読取パターン情報を通知する（ステップＳ１１０）。
【００５５】
続いて、動作決定部７６は、動作条件テーブル６３を参照し、「読取完了」を動作決定開始トリガ６３２とする条件種別６３３の内、ログインユーザ情報６２として格納されるユーザＩＤがユーザＩＤ６３４に一致し、さらに通知された読取パターン情報が読取パターン６３５に一致する条件種別６３３を決定する（ステップＳ１２０）。
【００５６】
続いて、動作決定部７６は、ステップＳ１２０で決定した条件種別が「Ａ」であるか否かを判定する（ステップＳ１３０）。条件種別が「Ａ」である場合（ステップＳ１３０“Ｙｅｓ”）に、処理はステップＳ２００に進む。一方、条件種別が「Ａ」でない場合（ステップＳ１３０“Ｎｏ”）に、処理はステップＳ１４０に進む。
【００５７】
続いて、動作決定部７６は、ステップＳ１２０で決定した条件種別が「Ｂ」であるか否かを判定する（ステップＳ１４０）。条件種別が「Ｂ」である場合（ステップＳ１４０“Ｙｅｓ”）に、処理はステップＳ３００に進む。一方、条件種別が「Ｂ」でない場合（ステップＳ１４０“Ｎｏ”）に、処理はステップＳ１５０に進む。
【００５８】
続いて、動作決定部７６は、ステップＳ１２０で決定した条件種別が「Ｃ」であるか否かを判定する（ステップＳ１５０）。条件種別が「Ｃ」である場合（ステップＳ１５０“Ｙｅｓ”）に、処理はステップＳ４００に進む。一方、条件種別が「Ｃ」でない場合（ステップＳ１５０“Ｎｏ”）に、処理はステップＳ２４０(図６Ｃ参照)に進む。
【００５９】
（条件種別「Ａ」の処理）
次に、図６Ｃを参照して、条件種別が「Ａ」である場合のステップＳ２００の処理を説明する。ステップＳ２００の処理は、動作条件テーブル６３の条件種別６３３が「Ａ」の内容に対応している。
【００６０】
条件種別が「Ａ」である場合（ステップＳ１３０“Ｙｅｓ”）に、操作パネル制御部７２は、図１２に示す継続読み取りを行うか否かを選択できるようにした画面ＡをＬＣＤパネル２１に表示する（ステップＳ２１０）。スキャナ部１０で一度に読み取りできる原稿の枚数は、載置読取の場合には１枚なので、さらに原稿があることを指示するための「継続読み取りボタンＡ１」を備えて構成される。これは、１枚の原稿が読み終わった後に、まだ読み取るべき原稿があるかどうか、つまり、継続読み取りの確認画面をＬＣＤパネル２１に表示し、ユーザの判断を仰いだ上で、読み取りを継続するか又は読み取りを完了してＦＡＸ送信(コピー機能なら印刷)の処理に移るのかを選択することができる。
【００６１】
ステップＳ２１０に続いて、操作パネル制御部７２は、画面Ａを構成するボタンのタッチを検出する（ステップＳ２２０）。ユーザにより原稿台１１(図２参照)に載置される原稿が交換され、操作パネル制御部７２が継続読み取りボタンＡ１のタッチを検出することで、スキャナ制御部７１は、原稿の継続読み取りを開始し（ステップＳ２３０）、その後、処理はステップＳ１００に戻る。一方、操作パネル制御部７２が読み取り完了ボタンＡ２のタッチを検出することで、通信制御部７３は、通信部３０を制御して、ファックス送信を開始する（ステップＳ２４０）。それに伴い、操作パネル制御部７２は、図１３に示すファックス送信画面７６０をＬＣＤパネル２１に表示する。
【００６２】
ステップＳ２４０に続いて、通信制御部７３は、１つの宛先への送信が完了したか否かの検出を行う（ステップＳ２５０）。１つの宛先への送信の完了を検出した場合（ステップＳ２５０“Ｙｅｓ”）に、処理はステップＳ２６０に進む。一方、１つの宛先への送信の完了を検出していない場合（ステップＳ２５０“Ｎｏ”）に、再度１つの宛先への送信が完了したか否かの検出を行う。
【００６３】
ステップＳ２５０に続いて、通信制御部７３は、全ての宛先への送信が完了したか否かの検出を行う（ステップＳ２６０）。全ての宛先への送信の完了を検出した場合（ステップＳ２６０“Ｙｅｓ”）に、処理は終了する。一方、全ての宛先への送信の完了を検出していない場合（ステップＳ２６０“Ｎｏ”）に、処理はステップＳ２４０に戻る。
【００６４】
（条件種別「Ｂ」の処理）
次に、図６Ｄを参照して、条件種別が「Ｂ」である場合のステップＳ３００の処理を説明する。ステップＳ３００の処理は、動作条件テーブル６３の条件種別６３３が「Ｂ」の内容に対応している。
【００６５】
条件種別が「Ｂ」である場合（ステップＳ１４０“Ｙｅｓ”）に、操作パネル制御部７２は、図１４に示す送信宛先の再確認を促し、間違っていれば送信を取り消すことができるようにした画面ＢをＬＣＤパネル２１に表示する（ステップＳ３１０）。画面Ｂは、宛先表示エリアＢ１、宛先再確認表示エリアＢ２、送信ＯＫボタンＢ３、及び取り消しボタンＢ４で構成される。
【００６６】
ステップＳ３１０に続いて、操作パネル制御部７２は、画面Ｂを構成するボタンのタッチを検出する（ステップＳ３２０）。宛先が正しい場合に、送信ＯＫボタンＢ３のタッチを検出することで、処理はステップＳ３３０に進む。一方、宛先が間違っている場合に、取り消しボタンＢ４のタッチを検出することで、処理はステップＳ３５０に進む。
【００６７】
ステップＳ３２０で送信ＯＫボタンＢ３のタッチを検出した場合に、通信制御部７３は、通信部３０を制御して、ファックス送信を開始する（ステップＳ３３０）。それに伴い、操作パネル制御部７２は、図１３に示すファックス送信画面７６０をＬＣＤパネル２１に表示する。
【００６８】
ステップＳ３３０に続いて、通信制御部７３は、１つの宛先への送信が完了したか否かの検出を行う（ステップＳ３４０）。１つの宛先への送信の完了を検出した場合（ステップＳ３４０“Ｙｅｓ”）に、処理はステップＳ３６０に進む。一方、１つの宛先への送信の完了を検出していない場合（ステップＳ３４０“Ｎｏ”）に、再度１つの宛先への送信が完了したか否かの検出を行う。
【００６９】
ステップＳ３２０で取り消しボタンＢ４のタッチを検出した場合に、操作パネル制御部７２は、１つ目の宛先へのファックス送信を取り消し（ステップＳ３５０）、図１５に示す宛先取り消し画面７７０を例えば３秒間表示する。そして、３秒経過したら処理はステップＳ３６０に進む。
【００７０】
ステップＳ３４０、ステップＳ３５０に続いて、操作パネル制御部７２は、図１４に示す画面Ｂの宛先表示エリアＢ１に表示される宛先リストを更新する（ステップＳ３６０）。ステップＳ３６０に続いて、操作パネル制御部７２は、ステップＳ３６０で宛先リストを更新した結果、更新後の宛先リストが０件であるか否かを判定する（ステップＳ３７０）。更新後の宛先リストが０件でない場合（ステップＳ３７０“Ｎｏ”）に、処理はステップＳ３１０に戻り、宛先表示エリアＢ１に更新後の宛先リストが表示された図１６に示す画面Ｂを表示する。
【００７１】
図１６では、１つ目の宛先は、既にファックス送信が完了しているか、又はファックス送信が取り消されているので、操作パネル制御部７２は、２つ目の宛先を宛先表示エリアＢ１の最上部に表示し、２つ目の宛先に対して送信宛先を再度確認する宛先再確認表示エリアＢ２を表示する。一方、更新後の宛先リストが０件である場合（ステップＳ３７０“Ｙｓｅ”）に、処理は終了する。
【００７２】
（条件種別「Ｃ」の処理）
次に、図６Ｅを参照して、条件種別が「Ｃ」である場合のステップＳ４００の処理を説明する。ステップＳ４００の処理は、動作条件テーブル６３の条件種別６３３が「Ｃ」の内容に対応している。
【００７３】
条件種別が「Ｃ」である場合（ステップＳ１５０“Ｙｅｓ”）に、操作パネル制御部７２は、図１７に示す、読み取り完了後はすぐにファックス待機画面に戻し、前回のファックス送信とは原稿が異なる次のファックス送信を行えるようにした画面ＣをＬＣＤパネル２１に表示する（ステップＳ４１０）。画面Ｃは、図１０に示すファックス待機画面７４０に、前回のファックス送信が何件完了したかを示す画面Ｃ１、及び前回のファックス送信の状況を詳細に確認するボタンＣ２(以下、「送信ステータス確認ボタンＣ２」と呼ぶ)をさらに備えて構成される。これにより、ユーザは、次のファックス送信の設定を行うか、又は前回のファックス送信の状況を確認することができる。
【００７４】
ステップＳ４１０に続いて、操作パネル制御部７２は、画面Ｃを構成するボタンのタッチを検出する（ステップＳ４２０）。送信ステータス確認ボタンＣ２のタッチを検出することで、処理はステップＳ４３０に進む。一方、宛先追加ボタン７４２を用いて宛先リストから選択された宛先が宛先表示エリア７４３に表示された状態で、Ｓｔａｒｔボタン７４５のタッチを検出することで、処理はステップＳ４４０に進む。
【００７５】
ステップＳ４２０で送信ステータス確認ボタンＣ２のタッチを検出した場合に、操作パネル制御部７２は、図１８に示すファックス送信状況確認画面７８０を表示する（ステップＳ４３０）。ファックス送信状況確認画面７８０は、図１３に示すファックス送信画面７６０に、画面Ｃに戻るボタン７８１をさらに備えて構成される。戻るボタン７８１のタッチを検出すると、操作パネル制御部７２は画面Ｃを表示する。
【００７６】
ステップＳ４３０に続いて、通信制御部７３は、全ての宛先への送信が完了したか否かの検出を行う（ステップＳ４５０）。全ての宛先への送信の完了を検出した場合（ステップＳ４５０“Ｙｅｓ”）に、処理は終了する。一方、全ての宛先への送信の完了を検出していない場合（ステップＳ４５０“Ｎｏ”）に、処理はステップＳ４３０に戻り、ファックス送信状況確認画面７８０の表示を維持する。
【００７７】
ステップＳ４２０で操作パネル制御部７２がＳｔａｒｔボタン７４５のタッチを検出した場合に、スキャナ制御部７１は、スキャナ部１０を制御して原稿の画像の読み取りを開始する（ステップＳ４４０）。それに伴い、操作パネル制御部７２は、図１１に示す原稿読み取り中画面７５０をＬＣＤパネル２１に表示する。その後、処理はステップＳ１００に戻る。
以上で、第１実施形態に係る複合装置１の動作についての説明を終了する。
【００７８】
以上のように、第１実施形態に係る複合装置１は、例えば、通常複数回の読み取りでファックス送信したいユーザの場合は、条件種別Ａに当てはまるユーザとして登録しておけば、継続原稿があるにも関わらず、読み取りを終了して印刷や送信処理に移ってしまう不都合がなくなる。
【００７９】
また、例えば、読み取った後、送信する前に今一度送付先とその原稿が間違いでないか確認したいユーザの場合は、条件種別Ｂに当てはまるユーザとして登録しておけば、誤送信を防ぐことができる。
また、例えば、通常１回の読み取りでファックス送信したいユーザの場合は、条件種別Ｃに当てはまるユーザとして登録しておけば、複合装置１からの継続原稿の有無確認に応答する必要がなくなる。
【００８０】
そのため、第１実施形態に係る複合装置１は、載置読取をした場合と流し読取をした場合において、ユーザの所望する出力が完了するまでの間、ユーザ個別の設定に基づいて複合装置１の動作と表示を選択的に決定できるので、使い勝手がよい。
【００８１】
［第２実施形態］
≪第２実施形態に係る複合装置の構成≫
以下、図１９を参照して、第２実施形態に係る複合装置の構成について説明する。図１９は、第２実施形態に係る複合装置１００１の機能構成図である。
第１実施形態に係る複合装置１は、既登録ユーザテーブル６１及び動作条件テーブル６３を予め保持していた。第２実施形態に係る複合装置１００１は、ユーザがそれらの情報を設定できるようになっている。
【００８２】
第１実施形態に係る複合装置１と第２実施形態に係る複合装置１００１との違いは、動作条件管理部７７が追加されている点、及び通信部３０にＬＡＮ１００２を介してユーザが操作するＰＣ(Personal Computer)１００３が接続されている点である。以下では、第２実施形態に係る複合装置１００１の構成の内、第１実施形態から変更されている機能のみを説明する。
【００８３】
（動作条件管理部）
動作条件管理部７７は、ユーザが設定した動作条件についての情報をＰＣ１００３からダウンロードし、ダウンロードした動作条件についての情報を不揮発性メモリ６０内の動作条件テーブル６３に格納する。
【００８４】
（ＰＣ）
ＰＣ１００３は、表示部としてのディスプレイ１００４、及びＣＰＵなどによるプログラム実行により実現される動作条件設定部１００５を備える。
動作条件設定部１００５は、動作条件テーブル６３を更新するための設定画面をディスプレイ１００４に表示する。また、動作条件設定部１００５は、設定画面を介して入力された動作条件についての情報を複合装置１００１に対して送信する。詳細は後記する「第２実施形態に係る複合装置の動作」で説明する。
【００８５】
なお、動作条件設定部１００５は、動作条件管理部７７から動作条件テーブル６３を更新するための設定画面を例えばＨＴＭＬ形式のデータとして受信するようにしてもよい。
以上で、第２実施形態に係る複合装置１００１の構成についての説明を終了する。
【００８６】
≪第２実施形態に係る複合装置の動作≫
以下では、図２０を参照して、第２実施形態に係る複合装置１００１のメインフローの動作条件の設定動作について、ファックスフローを例に挙げて説明する。図２０は、第２実施形態に係る複合装置１００１のメインフローの動作条件の設定動作を示すフローチャートである。
【００８７】
ユーザがＰＣ１００３を操作して、動作条件設定部１００５の起動指示がなされた場合に、動作条件設定部１００５は起動する（ステップＳ５１０）。
続いて、動作条件設定部１００５は、図２１に示すフロー設定画面８１０をディスプレイ１００４に表示する（ステップＳ５２０）。フロー設定画面８１０は、上部に配設されるコピーフローボタン８１１、ファックスフローボタン８１２、スキャンフローボタン８１３、及び中央部に配設されるフロー表示画面８２０で構成される。
【００８８】
コピーフローボタン８１１、ファックスフローボタン８１２、スキャンフローボタン８１３が選択されることで、動作条件設定部１００５は、選択されたボタンに対応する機能のフローをフロー表示画面８２０に表示する。図２１では、ファックスフローボタン８１２が選択されており、ファックスフローボタン８１２の下部に選択されていることを示す三角のアイコンが付与されている。その為、フロー表示画面８２０には、ファックスフローが表示されている。
【００８９】
フロー表示画面８２０に表示されるフローは、上部に表示されメインとなる画面遷移の流れ（以下「メインフロー」と呼ぶ）が表わされる部分と、下部に表示されメインとなる各画面に対応するサブとなる画面遷移の流れ（以下「サブフロー」と呼ぶ）が候補として表わされる部分とで構成される。
【００９０】
ここで、フロー表示画面８２０に表示されるフローは、条件設定が不可能なフローの部分は細い矢印で図示され、条件設定が可能なフローの部分は太い矢印で図示される。条件設定が可能なフローの部分であるそれぞれの太い矢印には、Ｘ、Ａ、Ｂ等の条件種別が表示されている。また、条件設定が可能なフローの部分に対応して、条件設定を行う場合にユーザが選択する条件設定ボタン８２１が配置される。
【００９１】
ステップＳ５２０に続いて、条件設定ボタン８２１の選択(押下)を検出すると、動作条件設定部１００５は、図２２に示す条件設定画面８３０をディスプレイ１００４に表示する（ステップＳ５３０）。
【００９２】
条件設定画面８３０は、条件種別表示領域８３１、画面態様表示領域８３２、ユーザ設定領域８３３、動作設定領域８３４、及び戻るボタン８３５で構成される。条件種別表示領域８３１には、複合装置１００１が記憶する動作条件テーブル６３の条件種別６３３に対応する内容が表示される。画面態様表示領域８３２には、複合装置１００１が記憶する動作条件テーブル６３の表示画面６３６に対応する内容が表示される。
【００９３】
ユーザ設定領域８３３は、複合装置１００１が記憶する既登録ユーザテーブル６１や動作条件テーブル６３のユーザＩＤ６３４に設定するためのユーザＩＤを選択する部分である。図２２では、ユーザ設定領域８３３は、プルダウンメニューとして構成されるが、他にもテキストボックスなどで構成してもよい。
【００９４】
動作設定領域８３４は、複合装置１００１が記憶する動作条件テーブル６３の動作６３８に設定するための動作を選択する部分である。図２２では、動作設定領域８３４は、プルダウンメニューとして構成される。
【００９５】
ユーザが、ユーザ設定領域８３３や動作設定領域８３４を用いてユーザＩＤや動作を設定した場合に、動作条件設定部１００５は、条件設定画面８３０に設定された情報(ユーザＩＤや動作など)を一時的に記憶する（ステップＳ５４０）。
続いて、画面右上の戻るボタン８３５がクリックされることで、動作条件設定部１００５は、図２１に示すフロー設定画面８１０をディスプレイ１００４に表示する（ステップＳ５５０）。
【００９６】
続いて、右上に配設される保存ボタン８２３がクリックされることで、動作条件設定部１００５は、一時的に記憶しておいた条件設定画面８３０に設定された情報(ユーザＩＤや動作など)を、ＬＡＮ１００２を介して複合装置１００１に送信する（ステップＳ５６０）。
【００９７】
続いて、複合装置１００１の動作条件管理部７７は、条件設定画面８３０に設定された情報を受信する（ステップＳ５７０）。そして、動作条件管理部７７は受信した情報を展開し（ステップＳ５８０）、既登録ユーザテーブル６１や動作条件テーブル６３を更新する。これにより、複合装置１００１は、既登録ユーザテーブル６１と動作条件テーブル６３とをユーザが設定することができる。
【００９８】
今までは、第２実施形態に係る複合装置１００１のメインフローの動作条件の設定動作について説明してきた。次に、図２３を参照して、第２実施形態に係る複合装置１００１のエラー発生時の画面遷移の流れ（以下「エラーフロー」と呼ぶ）の動作条件の設定動作について、コピーフローを例に挙げて説明する。図２３は、第２実施形態に係る複合装置１００１のエラーフローの動作条件の設定動作を示すフローチャートである。
【００９９】
ユーザがＰＣ１００３を操作して、動作条件設定部１００５の起動指示がなされた場合に、動作条件設定部１００５は起動する（ステップＳ６１０）。
続いて、動作条件設定部１００５は、図２４に示すフロー設定画面８１０をディスプレイ１００４に表示する（ステップＳ６２０）。フロー設定画面８１０は、上部に配設されるコピーフローボタン８１１、ファックスフローボタン８１２、スキャンフローボタン８１３、及び中央部に配設されるフロー表示画面８４０で構成される。
【０１００】
コピーフローボタン８１１、ファックスフローボタン８１２、スキャンフローボタン８１３が選択されることで、動作条件設定部１００５は、選択されたボタンに対応する機能のフローをフロー表示画面８４０に表示する。図２４では、コピーフローボタン８１１が選択されており、コピーフローボタン８１１の下部に選択されていることを示す三角のアイコンが付与されている。その為、フロー表示画面８４０には、コピーフローが表示されている。
【０１０１】
フロー表示画面８４０に表示されるフローは、メインフロー及びサブフローに加えて、下方向に伸びる太い矢印で表わされるエラーフローを備えて構成される。図２４に示すエラーフローは、読取中画面で原稿ジャムが発生した場合の画面遷移の流れを表している。
【０１０２】
このエラーフローを表す太い矢印には、Ｄ、Ｅの条件種別が表示されている。また、エラーフローに対応して、条件設定を行う場合にユーザが選択する条件設定ボタン８４２が配置される。条件設定ボタン８４２の選択(押下)を検出すると、動作条件設定部１００５は、図２５に示す条件設定画面８５０をディスプレイ１００４に表示する（ステップＳ６３０）。図２５に示す条件設定画面８５０は、読み取り中に原稿ジャムが発生したときの動作条件を設定する画面である。以下では、条件種別が「Ｄ」又は「Ｅ」の場合の複合装置１００１の処理を説明する。
【０１０３】
最初に、条件種別「Ｄ」の場合の処理を説明する。
条件種別が「Ｄ」である場合に、複合装置１００１の操作パネル制御部７２は、図２６に示す読み取った画像を確認することができるようにした画面ＤをＬＣＤパネル２１に表示する。画面Ｄは、エラー発生情報表示エリアＤ１、継続読み取りボタンＤ２、及び画像確認ボタンＤ３で構成される。ここでは、３枚目の原稿の読み取りで原稿ジャムが発生したが、２枚目では、３枚目での原稿ジャムの発端となる読み取りの斜行が発生している場合を想定して説明する。
【０１０４】
操作パネル制御部７２は、画像確認ボタンＤ３の選択を検出すると、図２７に示す画像確認画面９１０をＬＣＤパネル２１に表示する。図２７に示す画像確認画面９１０は、３枚目で原稿ジャムが発生したので、３枚目の画像の表示が未読み取りとなり、２枚目の画像の表示が原稿画像が崩れた形となっている。各ページの画像の下には削除ボタン９１１があり、削除ボタン９１１を選択して２枚目を削除することができる。ユーザが２枚目の画像の削除ボタン９１１を選択すると、スキャナ制御部７１は、不揮発性メモリ６０に蓄積されている画像データ６４の中から２枚目の画像データを削除する。そして、操作パネル制御部７２は、図２８に示す画像確認画面９２０をＬＣＤパネル２１に再表示する。
【０１０５】
ユーザは、２枚目が削除されたことを確認したら、右上の戻るボタン９２１をタッチする。操作パネル制御部７２は、戻るボタン９２１がタッチされたことを検出した場合に、図２６に示す画面ＤをＬＣＤパネル２１に表示する。
続いて、ユーザは、画像確認画面９１０で削除した２枚目のページを含めた原稿を原稿トレイ１２ａ(図２参照)に設置し、継続読み取りボタンＤ２をタッチする。操作パネル制御部７２が継続読み取りボタンＤ２のタッチを検出した場合に、スキャナ制御部７１は、残りの原稿の読み取りを開始する。
【０１０６】
次に、条件種別「Ｅ」の場合の処理を説明する。
条件種別が「Ｅ」である場合に、複合装置１００１の操作パネル制御部７２は、図２９に示す、原稿ジャムが発生してしまった原稿は載置読取で読み取り、次の原稿からは引き続き流し読取で読み取るように促す画面ＥをＬＣＤパネル２１に表示する。画面Ｅは、指示画面Ｅ１、及び継続読み取りボタンＥ２で構成される。ここでは、流し読取で原稿を読み取ろうとして、３枚目の読み取りで原稿ジャムが発生してしまった場合を想定して説明する。そのため、指示画面Ｅ１には、３枚目の原稿は載置読取で読み取り、４枚目以降の原稿は引き続き流し読取で読み取るように促す文章が表示されている。
【０１０７】
ユーザは、図２９に示す画面Ｅに従い、３枚目の原稿を原稿台１１(図２参照)に設置し、４枚目以降の原稿を原稿トレイ１２ａ(図２参照)に設置し、継続読み取りボタンＥ２をタッチする。操作パネル制御部７２が継続読み取りボタンＥ２のタッチを検出した場合に、スキャナ制御部７１は、３枚目の原稿を載置読取し、４枚目の以降の原稿を流し読取で読み取る。
【０１０８】
一方、図２４に示すフロー表示画面８４０において、条件設定ボタン８４１の選択(押下)を検出すると、動作条件設定部１００５は、図３０に示す条件設定画面８６０をディスプレイ１００４に表示する（ステップＳ６３０）。図３０に示す条件設定画面８６０は、ソートコピーを指定した場合に、原稿の向きと集約の設定を読み取り完了ごとに変更できるようにする動作条件を設定する画面である。以下では、条件種別が「Ｆ」の場合の複合装置１００１の処理を説明する。
【０１０９】
条件種別が「Ｆ」である場合に、複合装置１００１の操作パネル制御部７２は、図３１に示す、ソートコピーを指定した場合に、原稿の向きと集約の設定を読み取り完了ごとに変更できるようにする画面ＦをＬＣＤパネル２１に表示する。画面Ｆは、指示画面Ｆ１、原稿の向き変更ボタンＦ２、集約変更ボタンＦ３、継続読み取りボタンＦ４、及び読み取り完了ボタンＦ５で構成される。
【０１１０】
操作パネル制御部７２が原稿の向き変更ボタンＦ２のタッチを検出すると、操作パネル制御部７２は、図３２に示す原稿の向き変更画面９３０を表示する。ユーザは、手持ちの原稿を確認し、縦ボタン９３１又は横ボタン９３２をタッチして選択した状態で、ＯＫボタン９３３をタッチする。操作パネル制御部７２は、ＯＫボタン９３３のタッチを検出すると、図３１に示す画面ＦをＬＣＤパネル２１に表示する。
【０１１１】
また、操作パネル制御部７２が集約変更ボタンＦ３のタッチを検出すると、操作パネル制御部７２は、図３３に示す集約変更画面９４０を表示する。ユーザは、所望の出力結果となるように、なしボタン９４１、２ｕｐボタン９４２、及び４ｕｐボタン９４３のいずれかをタッチした状態で、ＯＫボタン９４４をタッチする。操作パネル制御部７２は、ＯＫボタン９４４のタッチを検出すると、図３１に示す画面ＦをＬＣＤパネル２１に表示する。
【０１１２】
各々の設定の変更が完了した状態で、原稿を原稿トレイ１２ａ(図２参照)に設置し、継続読み取りボタンＦ４をタッチすると、スキャナ制御部７１は、残りの原稿を読み取る。そして、読み取り完了ボタンＦ５をタッチすると、印刷を開始する。
図３１に示す画面Ｆを用いて、最初の原稿４枚を４ｕｐで、５枚目を集約なし、６，７枚目の横向き原稿を２ｕｐでコピーした場合の、読み取り原稿と出力結果の例を図３４に示す。
【０１１３】
続いて、図２５に示す条件設定画面８５０や図３０に示す条件設定画面８６０のユーザ設定領域８５３，８６３や動作設定領域８５４，８６４を用いてユーザＩＤや動作を設定した場合に、動作条件設定部１００５は、条件設定画面８５０，８６０に設定された情報(ユーザＩＤや動作など)を一時的に記憶する（ステップＳ６４０）。
続いて、画面右上の戻るボタン８５５，８６５がクリックされることで、動作条件設定部１００５は、図２４に示すフロー設定画面８１０をディスプレイ１００４に表示する（ステップＳ６５０）。
【０１１４】
続いて、右上に配設される保存ボタン８４３がクリックされることで、動作条件設定部１００５は、一時的に記憶しておいた条件設定画面８５０，８６０に設定された情報(ユーザＩＤや動作など)を、ＬＡＮ１００２を介して複合装置１００１に送信する（ステップＳ６６０）。
【０１１５】
続いて、複合装置１００１の動作条件管理部７７は、条件設定画面８５０，８６０に設定された情報を受信する（ステップＳ６７０）。そして、動作条件管理部７７は受信した情報を展開し（ステップＳ６８０）、既登録ユーザテーブル６１や動作条件テーブル６３を更新する。これにより、複合装置１００１は、既登録ユーザテーブル６１と動作条件テーブル６３とをユーザが設定することができる。条件種別Ｄ及びＥの条件設定が、条件設定画面８５０を用いて行われた後の動作条件テーブル６３の内容を図３５に示す。
以上で、第２実施形態に係る複合装置１００１の動作についての説明を終了する。
【０１１６】
以上のように、第２実施形態に係る複合装置１００１は、第１実施形態の効果に加えて、動作と表示の選択肢をユーザが設定できる。また、第２実施形態に係る複合装置１００１は、エラーが発生したときに対しても、動作と表示の選択肢をユーザが設定できる。また、第２実施形態に係る複合装置１００１は、設定項目に基づいて、個人別に動作と表示を選択的に決定するようにしたので、さらに使い勝手が向上した。
【０１１７】
［変形例］
以上、本発明の実施形態について説明したが、本発明はこれに限定されるものではなく、その趣旨を変えない範囲で実施することができる。実施形態の変形例を以下に示す。
【０１１８】
第１実施形態に係る複合装置１や第２実施形態に係る複合装置１００１では、ＬＣＤパネル２１を介してユーザＩＤの入力を行っていたが、ＩＣカードを読み込むことができるＩＣカード読取部をさらに備える構成とし、ユーザが所有するＩＣカードをＩＣカード読取部にかざすことで、ユーザＩＤの入力を行うようにしてもよい。
【０１１９】
第１実施形態に係る複合装置１や第２実施形態に係る複合装置１００１では、ユーザ認証を行った結果、登録されていないユーザの場合に図９に示すログインエラー画面７３０を表示していたが、登録されていないユーザについては動作条件が設定されていないものとして、登録されていないユーザもログインエラーとはせず動作決定を行うようにしてもよい。その場合、動作条件テーブル６３内に条件設定されていないユーザ全てを対象とする条件種別（例えば「Ｘ」）を設定しておく。
【０１２０】
第２実施形態に係る複合装置１００１では、ＰＣ１００３を用いて動作条件の設定を行っていたが、複合装置１００１の操作パネル部２０を用いて動作条件の設定を行うようにしてもよい。
【符号の説明】
【０１２１】
１，１００１  複合装置（画像形成装置）
１０    スキャナ部
１１    原稿台
１２    ＡＤＦ（原稿搬送部）
１３    読み取りデバイス（画像読取部）
２０    操作パネル部（入力部、表示部）
３０    通信部
４０    プリンタ部（印刷部）
５０    制御部
６０    不揮発性メモリ（記憶部）
６１    既登録ユーザテーブル
６２    ログインユーザ情報
６３    動作条件テーブル（動作条件情報）
７０    ＣＰＵ
７１    スキャナ制御部（読取経路判定部）
７２    操作パネル制御部（入力制御部、表示制御部）
７３    通信制御部
７４    プリンタ制御部
７５    ユーザ特定部
７６    動作決定部
７７    動作条件管理部
１００３  ＰＣ（外部装置）
１００４  ディスプレイ（表示部）
１００５  動作条件設定部
【図１】
2014078883.tif 000003
【図２】
2014078883.tif 000004
【図３】
2014078883.tif 000005
【図４】
2014078883.tif 000006
【図５】
2014078883.tif 000007
【図６Ａ】
2014078883.tif 000008
【図６Ｂ】
2014078883.tif 000009
【図６Ｃ】
2014078883.tif 000010
【図６Ｄ】
2014078883.tif 000011
【図６Ｅ】
2014078883.tif 000012
【図７】
2014078883.tif 000013
【図８】
2014078883.tif 000014
【図９】
2014078883.tif 000015
【図１０】
2014078883.tif 000016
【図１１】
2014078883.tif 000017
【図１２】
2014078883.tif 000018
【図１３】
2014078883.tif 000019
【図１４】
2014078883.tif 000020
【図１５】
2014078883.tif 000021
【図１６】
2014078883.tif 000022
【図１７】
2014078883.tif 000023
【図１８】
2014078883.tif 000024
【図１９】
2014078883.tif 000025
【図２０】
2014078883.tif 000026
【図２１】
2014078883.tif 000027
【図２２】
2014078883.tif 000028
【図２３】
2014078883.tif 000029
【図２４】
2014078883.tif 000030
【図２５】
2014078883.tif 000031
【図２６】
2014078883.tif 000032
【図２７】
2014078883.tif 000033
【図２８】
2014078883.tif 000034
【図２９】
2014078883.tif 000035
【図３０】
2014078883.tif 000036
【図３１】
2014078883.tif 000037
【図３２】
2014078883.tif 000038
【図３３】
2014078883.tif 000039
【図３４】
2014078883.tif 000040
【図３５】
2014078883.tif 000041